(57)【要約】【課題】標本の着脱が容易な顕微鏡用標本ホルダ、この顕微鏡用標本ホルダを有するステージ、このステージを有する顕微鏡を提供すること。【解決手段】標本３７を保持し標本３７を載置するステージ３上を移動可能であり、保持する標本３７との接触面部４７に開口５１を備え、開口５１と連結する空洞４９を更に備えたホルダ本体２５と、空洞４９内の気体の気圧を調整し開口５１に標本３７を吸着させて保持する真空ポンプ３１、ゴムチューブ２９、及びゴムキャップ２７とを有する顕微鏡用標本ホルダ２３。【選択図】図２
2010256808.tif 000002
【特許請求の範囲】
【請求項１】
標本を保持し前記標本を載置するステージ上を移動可能であり、保持する前記標本との接触面部に開口を備え、前記開口と連結する空洞を更に備えたホルダ本体と、
前記空洞内の気体の気圧を調整し前記開口に前記標本を吸着させて保持する気圧調整手段とを有することを特徴とする顕微鏡用標本ホルダ。
【請求項２】
前記接触面部は、弾性部材からなることを特徴とする請求項１に記載の顕微鏡用標本ホルダ。
【請求項３】
前記接触面部は矩形である前記標本の１つの端面に接触することを特徴とする請求項１又は２に記載の顕微鏡用標本ホルダ。
【請求項４】
前記気圧調整手段は、前記ホルダ本体に取り付けられ、前記空洞に連続する内部空間を有する弾性部材を含むことを特徴とする請求項１から３のいずれか１項に記載の顕微鏡用標本ホルダ。
【請求項５】
前記気圧調整手段は真空ポンプを含むことを特徴とする請求項１から４のいずれか１項に記載の顕微鏡用標本ホルダ。
【請求項６】
前記ホルダ本体への前記標本の着脱を検知する標本着脱検知部を有し、
前記標本着脱検知部の検知情報に基づいて前記気圧調整手段を作動又は停止させることを特徴とする請求項１から５のいずれか１項に記載の顕微鏡用標本ホルダ。
【請求項７】
前記ステージ上で前記ホルダ本体が移動しているか否かを検知するホルダ移動検知部を有し、
前記ホルダ本体が移動しているかの検知情報に基づいて、前記気圧調整手段により前記空洞内の気圧を調整することを特徴とする請求項１から６のいずれか１項に記載の顕微鏡用標本ホルダ。
【請求項８】
請求項１から７のいずれか１項に記載の顕微鏡用標本ホルダを有することを特徴とするステージ。
【請求項９】
請求項８に記載のステージを有することを特徴とする顕微鏡。
【発明の詳細な説明】
【技術分野】
【０００１】
本発明は、顕微鏡用標本ホルダ、ステージ、顕微鏡に関する。
【背景技術】
【０００２】
従来、顕微鏡のステージ上で標本を観察するための顕微鏡用標本ホルダが種々提案されている（例えば、特許文献１を参照）。
【先行技術文献】
【特許文献】
【０００３】
【特許文献１】特開２００５−１２８４４１号公報
【発明の概要】
【発明が解決しようとする課題】
【０００４】
顕微鏡用標本ホルダとして、標本の着脱ができるだけ容易なものが求められている。
【０００５】
本発明は、標本の着脱が容易な顕微鏡用標本ホルダ、この顕微鏡用標本ホルダを有するステージ、このステージを有する顕微鏡を提供することを目的とする。
【課題を解決するための手段】
【０００６】
上記課題を解決するために、本発明に係る顕微鏡用標本ホルダは、標本を保持し前記標本を載置するステージ上を移動可能であり、保持する前記標本との接触面部に開口を備え、前記開口と連結する空洞を更に備えたホルダ本体と、前記空洞内の気体の気圧を調整し前記開口に前記標本を吸着させて保持する気圧調整手段とを有することを特徴とする。
【０００７】
また、本発明に係るステージは、前記顕微鏡用標本ホルダを有することを特徴とする。
【０００８】
また、本発明に係る顕微鏡は、前記ステージを有することを特徴とする。
【発明の効果】
【０００９】
本発明によれば、標本の着脱が容易な顕微鏡用標本ホルダ、この顕微鏡用標本ホルダを有するステージ、このステージを有する顕微鏡を提供することができる。
【図面の簡単な説明】
【００１０】
【図１】第１実施形態に係る顕微鏡用標本ホルダを備えた顕微鏡を示す側面図である。
【図２】第１実施形態に係る顕微鏡用標本ホルダを示す図であり、（ａ）は平面図、（ｂ）は検鏡者から見て右側面図（ゴムキャップ及びゴムチューブは断面で示す）、（ｃ）は正面図である。
【図３】第１実施形態に係る顕微鏡用標本ホルダのホルダ本体の分解図である。
【図４】第２実施形態に係る顕微鏡用標本ホルダを示す図であり、（ａ）は平面図、（ｂ）は検鏡者から見て右側面図（ゴムキャップは断面で示す）、（ｃ）は正面図である。
【発明を実施するための形態】
【００１１】
以下、本願の実施形態に係る顕微鏡用標本ホルダ、この顕微鏡用標本ホルダを有するステージ、このステージを有する顕微鏡について図面を参照して説明する。
【００１２】
（第１実施形態）
まず、第１実施形態の顕微鏡用標本ホルダ２３を備えたステージ３と、このステージ３を備えた顕微鏡１について図１を参照して説明する。なお、ステージ３上の顕微鏡用標本ホルダ２３は後述する第２実施形態のものでもよく、この場合は図１と図２に示すゴムチューブ２９及び真空ポンプ３１は必要ない。また、図１に示す顕微鏡１及びステージ３は一例であり、この形態に限定されるものではない。
【００１３】
図１に示すように、顕微鏡１は、ステージ３と顕微鏡本体５と接眼レンズ７とレボルバ９と対物レンズ１１とを備える。顕微鏡本体５は、ベース１３と支柱１５とアーム１７とを有する。顕微鏡本体５には、上下動ハンドル１９を操作することによって上下方向（対物レンズ１１の光軸方向）に移動するサブステージ２１が設けられている。ステージ３はサブステージ２１に取り付けられている。
【００１４】
ステージ３は、サブステージ２１に固定されている板状の顕微鏡固定部と、その上の板状のＹ軸方向可動部を有するものであり、Ｙ軸方向可動部上面（ステージ３上面）に第１実施形態の顕微鏡用標本ホルダ２３が載置されている。顕微鏡用標本ホルダ２３は、例えばＹ軸方向可動部に形成されたＸ軸方向へ延びる不図示のガイド溝に摺動可能に保持された不図示の移動部材に取り付けられている。
【００１５】
ステージ３には、ステージ３の下方へ突出するＸＹハンドル２が設けられている。ＸＹハンドル２のＸ軸ハンドルを操作することにより、Ｙ軸方向可動部に対して移動部材と共に顕微鏡用標本ホルダ２３をＸ軸方向へ移動することができる。ＸＹハンドル２のＹ軸ハンドルを操作することにより、顕微鏡固定部に対してＹ軸方向可動部と共に顕微鏡用標本ホルダ２３をＹ軸方向へ移動することができる。Ｘ軸とＹ軸は互いに直交し、本実施形態ではＸ軸方向は図２（ａ）における紙面上の左右方向に一致している。
【００１６】
検鏡者は、スライドガラスやプレパラート等の標本３７（図２（ａ）参照）を顕微鏡用標本ホルダ２３で保持し、対物レンズ１１から接眼レンズ７までの光学系を通して標本３７を観察することができる。
【００１７】
次に、第１実施形態の顕微鏡用標本ホルダ２３について図１から図３を参照して説明する。
【００１８】
図１、図２に示すように、第１実施形態の顕微鏡用標本ホルダ２３は、板状のホルダ本体２５と、ゴムキャップ（弾性部材）２７及びゴムチューブ２９によりホルダ本体２５に接続された真空ポンプ３１とから構成されている。ホルダ本体２５は、上述の移動部材に２つの螺子３３により取り付けられる取付部３５と、スライドガラスやプレパラート等の標本３７（図２（ａ）参照）を保持するＬ字状の標本保持部３９とからなる。
【００１９】
図２、図３に示すように、標本保持部３９は、装着する標本３７との接触部の内側に溝４１が形成された本体４３と、本体４３上部を覆うカバー４５と、本体４３とカバー４５のＬ字内側の側面部分を覆い、標本３７を保持する際に標本３７の端面に接触する接触面部４７とからなる。組立時、図３に二点鎖線で示すように、カバー４５を本体４３に密着させて貼り付ける。次に図３に矢印で示すように、貼り合わせたカバー４５と本体４３に接触面部４７を貼り付ける。このようにして組み立てたホルダ本体２５の標本保持部３９には、空洞４９が形成される。
【００２０】
接触面部４７は、標本３７の隣り合う２つの端面にそれぞれ接触する２つの平面部４７ａ、４７ｂからなる。平面部４７ａ、４７ｂには、空洞４９に連続する複数の略楕円状の開口５１が形成されている。なお、開口５１の数や形状は特に限定されず、例えば開口５１として平面部４７ａ、４７ｂに１つずつ長孔を形成してもよい。接触面部４７の素材にはゴムなどの弾性部材を用いている。
【００２１】
カバー４５の一端には円孔５３が形成されており、本体４３に形成された溝４１は円孔５３の下で本体４３の標本３７との接触部の端面に添って拡がっている。ゴムキャップ（弾性部材）２７は、下端に外側に拡がるフランジ部５５を有し、フランジ部５５を円孔５３に嵌入することで標本保持部３９に取り付けられている。ゴムキャップ２７の内部空間は空洞４９及びゴムチューブ２９内部に連続している。真空ポンプ３１につながるゴムチューブ２９は、顕微鏡用標本ホルダ２３のＸ軸方向及びＹ軸方向への移動の妨げにならない程度に長い。第１実施形態では真空ポンプ３１は支柱１５の背面に取り付けられているが、真空ポンプ３１の設置位置は特に限定されず、例えば机上の顕微鏡１から離れた所に敷いたゴム製の防振パッドの上に設置してもよい。
【００２２】
真空ポンプ３１、ゴムチューブ２９、及びゴムキャップ２７は一体化している。真空ポンプ３１を作動させると、空洞４９内の気圧が下がり、外部から開口５１を通して空洞４９内に空気が吸い込まれる。標本保持部３９に標本３７を保持するには、真空ポンプ３１を例えば常時、吸引状態としておく。そしてこの状態で、図２（ａ）に示すように、標本３７の隣り合う２つの端面を２つの平面部４７ａ、４７ｂにそれぞれ接触させると、標本３７がホルダ本体２５に対して位置決めされると共に、接触面部４７に吸着する。このようにして、標本保持部３９に標本３７を保持することができる。ここで、上述のように接触面部４７の素材にはゴムなどの弾性部材を用いているため、ゴムの弾性により標本３７と接触面部４７とが密着し、開口５１を通して空洞４９内に空気が流入することが防止されて標本３７の吸着性が高まる。
【００２３】
標本保持部３９から標本３７を取り外す時は、検鏡者は手で標本３７を手前に引くことによって取り外すことができる。真空ポンプ３１の吸引力は、標本３７を保持したままホルダ本体２５を上述のＸＹハンドルでＸ軸方向へ移動させることができると共に、真空ポンプ３１を停止させることなく手で標本３７を取り外すことができる程度の強さにしておく。
【００２４】
また、第１実施形態では、例えば平面部４７ａ、４７ｂの一部分に、標本保持部３９への標本３７の着脱を検知する図示しない標本着脱検知部（例えばフォトセンサ）を設け、標本着脱検知部からの電気信号（検知情報）に基づいて、真空ポンプ３１を制御する構成とすることができる。具体的には、標本３７が接触面部４７に接触している時は真空ポンプ３１を吸引状態とし、標本３７が接触面部４７に接触していない（即ち標本３７が取り外されている）時は真空ポンプ３１の吸引を止めておくことができる。
【００２５】
また、第１実施形態では、例えば上述のＸＹハンドルのＸ軸ハンドルの操作量から、ホルダ本体２５がステージ３上をＸ軸方向へ移動しているか否かを検知する図示しないホルダ移動検知部を設け、ホルダ移動検知部からの電気信号（検知情報）に基づいて、真空ポンプ３１を制御する構成とすることができる。具体的には、ホルダ本体２５がＸ軸方向へ移動している時は真空ポンプ３１の吸引力を大きくし、ホルダ本体２５がＸ軸方向へ移動していない時は真空ポンプ３１の吸引力を小さくすることができる。この構成によれば、大きな吸引力で標本３７を確実に保持してホルダ本体２５をＸ軸方向へ移動させることができる。またホルダ本体２５がステージ３上で静止している時は吸引力が自動的に小さくなるので、標本３７を指で容易に取り外すことができる。
【００２６】
第１実施形態の顕微鏡用標本ホルダ２３は、検鏡者から見て標本保持部３９の右側には手前に突出する部分がないため、標本３７の着脱時、標本３７の端面を接触面部４７に接触させる動作、及び標本３７の端面を接触面部４７から離す動作がやり易い。なお、顕微鏡用標本ホルダ２３の標本保持部３９は、検鏡者から見て左側及び右側の構成を反転させたものでもよい。即ち、標本保持部３９は右側が手前に突出している形であってもよい。この場合も、検鏡者から見て標本保持部３９の左側には手前に突出する部分がないため、標本３７の着脱時、標本３７の端面を接触面部４７に接触させる動作、及び標本３７の端面を接触面部４７から離す動作がやり易い。
【００２７】
また、第１実施形態の変形例として、検鏡者から見て標本保持部３９を左右にまっすぐ延びる形状とし、接触面部４７を平面部４７ｂのみにして、標本保持部３９に標本３７を保持する際、標本３７の１つの端面（図２（ａ）において上側の端面）を平面部４７ｂに吸着させる構成とすることも可能である。この構成によれば、標本保持部３９の左右の手前には突出する部分がないので標本３７の着脱時、標本３７と突出部が干渉することがなく、標本３７の端面を接触面部４７に接触させる動作、及び標本３７の端面を接触面部４７から離す動作がよりやり易くなる。
【００２８】
また、特に第１実施形態の顕微鏡用標本ホルダ２３では、空洞４９内の気圧を下げることができる真空ポンプ３１を利用するため、標本３７の端面を接触面部４７に接触させるだけで標本３７を保持することができると共に、標本３７を指で手前に引くだけで取り外すことができる。つまり、検鏡者は片手で標本３７を容易に着脱することができる。なお、標本３７の上下面ではなく端面を吸着させる構成なので、標本３７を取り外す際に大きな力は必要ない。
【００２９】
以上のように、第１実施形態の顕微鏡用標本ホルダ２３によれば、標本３７の着脱が容易となる。また、空気圧による吸着保持なので、標本３７を傷め難いという利点もある。第１実施形態の顕微鏡用標本ホルダ２３を用いれば、例えば病理検査などで大量の標本３７を検査する場合に標本３７の交換作業をスムーズに行うことができ、作業効率を大幅に向上させることができる。
【００３０】
（第２実施形態）
次に、第２実施形態の顕微鏡用標本ホルダ５７について図４を参照して説明する。第２実施形態は第１実施形態と構成が略同じであり、第１実施形態と同様の部分を図４に同一符号で示し、相違点のみを説明する。
【００３１】
図４に示すように、第２実施形態の顕微鏡用標本ホルダ５７は、ゴムチューブ及び真空ポンプを設けずに、ゴムキャップ（弾性部材）５９のみを標本保持部３９に取り付けている点が第１実施形態と相違する。ゴムキャップ５９の内部空間は空洞４９に連続しており、ゴムキャップ５９は指で押して弾性変形させることができる。
【００３２】
標本保持部３９に標本３７を保持するには、まず、ゴムキャップ５９を指で押し下げる。そしてこの状態で、図４（ａ）に示すように、標本３７の隣り合う２つの端面を２つの平面部４７ａ、４７ｂにそれぞれ接触させて標本３７をホルダ本体２５に対して位置決めし、ゴムキャップ５９から指を離す。すると、空洞４９内の気圧が下がり、標本３７が接触面部４７に吸着する。このようにして、標本保持部３９に標本３７を保持することができる。ここで、上述のように接触面部４７の素材にはゴムなどの弾性部材を用いているため、ゴムの弾性により標本３７と接触面部４７とが密着し、開口５１を通して空洞４９内に空気が流入することが防止されて標本３７の吸着性が高まる。
【００３３】
標本保持部３９から標本３７を取り外す時は、検鏡者は手で標本３７を手前に引くことによって取り外すことができる。ゴムキャップ５９の容積は、上述の標本３７吸着の強さが、標本３７を保持したままホルダ本体２５を上述のＸＹハンドルでＸ軸方向へ移動させることができると共に、手で標本３７を取り外すことができる程度となるようにしておく。
【００３４】
第２実施形態の顕微鏡用標本ホルダ５７は、検鏡者から見て標本保持部３９の右側には手前に突出する部分がないため、標本３７の着脱時、標本３７の端面を接触面部４７に接触させる動作、及び標本３７の端面を接触面部４７から離す動作がやり易い。なお、顕微鏡用標本ホルダ５７の標本保持部３９は、検鏡者から見て左側及び右側の構成を反転させたものでもよい。即ち、標本保持部３９は右側が手前に突出している形であってもよい。この場合も、検鏡者から見て標本保持部３９の左側には手前に突出する部分がないため、標本３７の着脱時、標本３７の端面を接触面部４７に接触させる動作、及び標本３７の端面を接触面部４７から離す動作がやり易い。
【００３５】
また、第２実施形態の変形例として、検鏡者から見て標本保持部３９を左右にまっすぐ延びる形状とし、接触面部４７を平面部４７ｂのみにして、標本保持部３９に標本３７を保持する際、標本３７の１つの端面（図４（ａ）において上側の端面）を平面部４７ｂに吸着させる構成とすることも可能である。この構成によれば、標本３７の着脱時、第１実施形態と同様の理由により標本３７の端面を接触面部４７に接触させる動作、及び標本３７の端面を接触面部４７から離す動作がよりやり易くなる。
【００３６】
また、特に第２実施形態の顕微鏡用標本ホルダ５７では、ゴムキャップ５９だけで空洞４９内の気圧を下げる構成であるため、コストを抑えることができる。なお、標本３７の上下面ではなく端面を吸着させる構成なので、標本３７を取り外す際に大きな力は必要ない。
【００３７】
以上のように、第２実施形態の顕微鏡用標本ホルダ５７によれば、標本３７の着脱が容易となる。また、空気圧による吸着保持なので、標本３７を傷め難いという利点もある。第２実施形態の顕微鏡用標本ホルダ５７を用いれば、例えば病理検査などで大量の標本３７を検査する場合に作業効率を大幅に向上させることができる。
【００３８】
なお、上述の実施形態は例に過ぎず、上述の構成に限定されるものではなく、本発明の範囲内において適宜修正、変更が可能である。
【符号の説明】
【００３９】
１            顕微鏡
３            ステージ
２３，５７    顕微鏡用標本ホルダ
２５          ホルダ本体
２７，５９    ゴムキャップ
２９          ゴムチューブ
３１          真空ポンプ
３７          標本
３９          標本保持部
４７          接触面部
４９          空洞
５１          開口
【図１】
2010256808.tif 000003
【図２】
2010256808.tif 000004
【図３】
2010256808.tif 000005
【図４】
2010256808.tif 000006